(57)【要約】【課題】リーケージインダクタンスの微調整が容易で、バラツキを抑制でき、巻線の占積率の低下を抑制しつつ、放熱性を確保し、小型・軽量化を妨げることなく、安価に実現するトランスを提供する。【解決手段】この発明のトランスは、コア１と、このコア１を囲って設けられたボビン５と、このボビン５に巻装された一次巻線６と、この一次巻線６を囲った絶縁部材と、樹脂スペーサ７に巻装された二次巻線と、を備え、一次巻線の電圧に応じて二次巻線が変圧するトランスであって、絶縁部材は、一次巻線と二次巻線との間の離間距離を保持する剛体スペーサであって樹脂スペーサ７である。【選択図】図１
2014216373.tif 000002
【特許請求の範囲】
【請求項１】
コアと、
このコアを囲って設けられたボビンと、
このボビンに巻装された内側巻線と、
この内側巻線を囲って設けられた絶縁部材と、
この絶縁部材に巻装された外側巻線と、を備え、
前記内側巻線、前記外側巻線の一方の電圧に応じて他方が変圧するトランスであって、
前記絶縁部材は、前記内側巻線と前記外側巻線との間の離間距離を保持する剛体スペーサであるトランス。
【請求項２】
前記剛体スペーサは、樹脂スペーサである請求項１に記載のトランス。
【請求項３】
前記剛体スペーサは、前記ボビンの軸線方向に沿って全域に延びて形成されたスリットを有する非磁性金属スペーサ、及びこの非磁性金属スペーサの表面に巻回された絶縁テープから構成されている請求項１に記載のトランス。
【請求項４】
前記剛体スペーサは、前記ボビンの軸線方向に沿って全域に延びて形成されたスリットを有する非磁性金属スペーサ、及びこの非磁性金属スペーサの表面に形成された絶縁皮膜から構成されている請求項１に記載のトランス。
【請求項５】
前記剛体スペーサは、前記内側巻線の周方向において互いに離間して分割された複数個の分割スペーサ体で構成されている請求項１〜４の何れか１項に記載のトランス。
【請求項６】
前記剛体スペーサは、コーナ部が面取りされている請求項１〜５の何れか１項に記載のトランス。
【請求項７】
前記内側巻線は一次巻線であり、前記外側巻線は二次巻線である請求項１〜６の何れか１項に記載のトランス。
【請求項８】
前記外側巻線は一次巻線であり、前記内側巻線は二次巻線である請求項１〜６の何れか１項に記載のトランス。
【請求項９】
前記離間距離は、リーケージインダクタンスに対して下式で得られる値である請求項７または８に記載のトランス。
【数１】
2014216373.tif 000004
ここで、Ｌleakは、リーケージインダクタンス、μは透磁率、Ｔは前記一次巻線の導線のターン数、δは前記離間距離、Δ１は前記一次巻線の径方向の高さ、Δ２は前記二次巻線の径方向の高さ、ｈは前記ボビンの軸線方向の前記一次巻線の長さ、Ｌは前記一次巻線及び前記二次巻線のそれぞれの周長を加えた値を２で割った長さ、qは対称鎖交数である。
【発明の詳細な説明】
【技術分野】
【０００１】
この発明は、コアに一次巻線、二次巻線が巻装されたトランスに関する。
【背景技術】
【０００２】
電気自動車、ハイブリッド車に搭載されるＤＣＤＣコンバータ、充電器を始めとする電力変換装置では、機器の小型化の背景からスイッチング電源回路が用いられているが、スイッチング損失の低減及びＥＭＣ（Electro-Magnetic Compatibility）の観点から、キャパシタとインダクタを利用して擬似共振現象を発生させ、電圧あるいは電流がゼロとなるポイントにてスイッチング動作させるソフトスイッチング方式が有効である。
このようなソフトスイッチング方式においては、一次側の共振用インダクタの機能をトランスに持たせることで部品点数削減に伴う機器の小型・軽量化、コスト低減が可能となる複合型のトランスが提案されている。
【０００３】
このトランスとして、トランスにおける一次側と二次側を巻装部位に分割した上で、第１の一次巻線及び第２の一次巻線と、二次巻線をＥＥコア等中央磁脚を覆うボビンの上に実装し、またコアの中央磁脚に空隙を設けることで結合係数が０.７３の疎結合を実現させ、一次側、及び二次側における共振回路用インダクタとして必要なリーケージインダクタンスをトランスにて生じさせているものが知られている（例えば、特許文献１参照）。
【先行技術文献】
【特許文献】
【０００４】
【特許文献１】特開２００９-１７７１４号公報
【発明の概要】
【発明が解決しようとする課題】
【０００５】
共振回路用インダクタをトランスのリーケージインダクタンスにて生じさせる際、トランスの一次巻線と二次巻線とをボビンで分割させる構造を採用すると、容易に疎結合にでき、リーケージインダクタンスを生じさせることは可能であるが、リーケージインダクタンスの値が離散的になるため、微調整が困難である。
【０００６】
また、一次巻線と二次巻線とをボビンで分割させる分割構成で結合係数を大きくさせる場合、分割数を増加させなければならず、ボビン鍔の枚数が増加してしまうことにより、ボビン内における巻線占積率低下が低下してしまうことから大型化が余儀なくされコストアップにも繋がる。
【０００７】
また、分割数が大きくなるとそれぞれのボビン間の配線が困難になり、複雑な構成とせざるを得ず、組立性の悪化、コストアップの要因となる。
また、ボビン内鍔間の寸法における公差が累積することで、トランス形状の寸法管理が困難、更にコアのサイズを大きくせざるを得ない課題が発生することが懸念となる。
【０００８】
また、結合係数を高める為、ボビン鍔の厚みを低減させる場合、鍔部での剛性が確保できず、組立時に破損してしまう懸念がある。
【０００９】
リーケージインダクタンスを積極的に得る方法としては、前記公報における分割構造以外に、コアを囲ったボビンに一次巻線及び絶縁テープを介して二次巻線を巻装したトランスがある。
このトランスでは、絶縁テープの厚さに応じたリーケージインダクタンスを生じさせる構造であるが、絶縁テープにおける張力のバラツキによる絶縁テープ厚みのバラツキが発生することで、リーケージインダクタンスのバラツキが大きくなるという問題点がある。
【００１０】
また、大きなリーケージインダクタンスを生じさせる場合、一次巻線と二次巻線との離間距離を増加させることが必要であり、その結果絶縁テープの厚みを大きくする、若しくは絶縁テープの巻回数を増加させることが必要となる。
そのため、テープ厚みが増えることによって、絶縁テープ間での熱抵抗が大きくなることで一次巻線の熱がこもる、つまり放熱性が悪化するという問題点ある。
【００１１】
また、一次巻線に対して寸法公差の大きい絶縁テープを併せて積層させてしまうと、寸法公差が累積されてしまい、トランスを積極的に放熱させる際、例えばトランス本体をケースに格納し、絶縁性樹脂を充填させる際には、ケースの壁面との距離を前記公差バラツキに応じて設定することになり、結果として絶縁性樹脂の厚みが大きくなり、放熱性が悪化するという問題点がある。
【００１２】
また、絶縁テープの巻回数が増加することでは組立性及び寸法精度の悪化とそれに付随するコストアップが課題と成り得る。
【００１３】
上記以外に、リーケージインダクタンスを積極的に得る方法として、コア中央磁脚においてギャップを設ける策がある。
しかしこの場合、一次巻線、二次巻線における励磁インダクタンスが小さくなり、一次側巻線電流値が増加し、発熱量が増加してしまうという問題点がある。
また、ギャップをシート等で得た場合、ギャップ管理が求められることでコストアップの課題が発生する。
【００１４】
この発明は、かかる問題点を解決することを課題とするものであって、リーケージインダクタンスの微調整が容易で、そのバラツキを抑制でき、巻線の占積率の低下を抑制しつつ、放熱性が確保され、小型、軽量化を妨げることなく、安価なトランスを提供することを目的としている。
【課題を解決するための手段】
【００１５】
この発明に係るトランスは、コアと、このコアを囲って設けられたボビンと、このボビンに巻装された内側巻線と、この内側巻線を囲った絶縁部材と、この絶縁部材に巻装された外側巻線と、を備え、前記内側巻線、前記外側巻線の一方の電圧に応じて他方が変圧するトランスであって、
前記絶縁部材は、前記内側巻線と前記外側巻線との間の離間距離を保持する剛体スペーサである。
【発明の効果】
【００１６】
この発明に係るトランスによれば、内側巻線と外側巻線との間に介在した絶縁部材として内側巻線と外側巻線との間の離間距離を保持する剛体スペーサを用いたことにより、リーケージインダクタンスの微調整が容易で、そのバラツキを抑制でき、巻線の占積率の低下を抑制しつつ、放熱性が確保され、小型、軽量化を妨げることなく、安価なトランスが得られる。
【図面の簡単な説明】
【００１７】
【図１】この発明の実施の形態１におけるトランスのトランス本体を示す正断面図である。
【図２】この発明の実施の形態２におけるトランスのトランス本体を示す正断面図である。
【図３】この発明の実施の形態３におけるトランスの要部平断面図である。
【図４】この発明の実施の形態３のトランスの変形例を示す要部平断面図である。
【発明を実施するための形態】
【００１８】
以下、この発明の各実施の形態について図に基づいて説明するが、各図において、同一、または相当部材、部位については、同一符号を付して説明する。
実施の形態１.
図１は、この発明の実施の形態１のトランスのトランス本体を示す正断面図である。
このトランスは、ケース内にトランス本体が載置され、そのケース内に絶縁性樹脂が充填されている。
このトランスのトランス本体は、Ｕ字状の、第１のコア部１及び第２のコア部２からなるコア３と、コア３の一対の柱部４をそれぞれ囲ったボビン５と、各ボビン５を囲った内側巻線である一次巻線６と、各一次巻線５を囲った筒状の剛体スペーサである樹脂スペーサ７と、各樹脂スペーサ７を囲った外側巻線である二次巻線８と、を備えている。
【００１９】
一次巻線６は、規定抵抗値を有する一層構造であって、ボビン５の外周を導線であるエナメル線で規定ターン数巻回して構成されている。
二次巻線８は、規定抵抗値を有する一層構造であって、樹脂スペーサ７の外周を導線であるエナメル線で規定ターン数巻回して構成されている。
【００２０】
この実施の形態によるコア３に関しては、特開２００９-１７７１４号公報に記載された、巻線の外部に磁路を形成するＥＥ型外鉄式コアではなく、巻線の内部に磁路を形成する内鉄式Ｕコアを使用している。
【００２１】
この実施の形態のトランスにおけるリーケージインダクタンスは、次式にて与えられる。
【００２２】
【数１】
2014216373.tif 000003
【００２３】
ここで、Ｌleakは、リーケージインダクタンス、μは透磁率、Ｔは一次巻線６ターン数（エナメル線のターン数）、δは離間距離δ（一次巻線６と二次巻線８との間の距離）、Δ１は一次巻線６高さ（ボビン５の径方向の長さ）、Δ２は二次巻線８高さ（ボビン５の径方向の長さ）、ｈは巻幅（ボビン５の軸線方向の一次巻線６の長さ）、Ｌは平均周長（一次巻線６及び二次巻線８のそれぞれの周長を加えた値を２で割った長さ）、qは対称鎖交数である。
【００２４】
所望のリーケージインダクタンスを得るためには(１)式の各パラメータを設計することになるが、この実施の形態のトランスでは、離間距離δに着目したものである。
その他のパラメータ、例えば一次巻線６ターン数Ｔは一次側励磁電流、一次側巻線発熱量、磁束密度、鉄損、変換効率と、巻幅ｈはサイズ、巻線占有率、巻線発熱量、変換効率、高周波数特性、熱抵抗と、巻線高さΔ１，Δ２はサイズ、巻線発熱量、変換効率とトレードオフの関係であり、トランスの基本性能、サイズ及びそれに付随するコストに大きく影響を与えかねないために、変更が困難である。
また、上記(１)から分かる様に、離間距離δのバラツキは、μ（Ｔ２Ｌ/ｑｈ）倍されてリーケージインダクタンスのバラツキとなるため、リーケージインダクタンスのバラツキを抑制させるためには、離間距離δを如何に安定させるかがポイントとなる。
【００２５】
このように、離間距離δの寸法のバラツキがリーケージインダクタンスに大きく影響を与える中で、離間距離δを樹脂スペーサ７で確保するトランスにおいては、樹脂スペーサ７の厚みのバラツキが抑制可能で、リーケージインダクタンスのバラツキを抑制することができる。
【００２６】
この実施の形態のトランスにおいて、巻幅ｈが６６ｍｍ（３３ｍｍ×２脚）、透磁率μが４π×１０-７Ｈ/ｍ、一次巻線６ターン数Ｔが３６、一次巻線６高さΔ１が２.４ｍｍ、二次巻線８高さΔ２が２.３ｍｍ、平均周長Ｌが１０６ｍｍ、対称鎖交数ｑが１、離間距離δが１.３ｍｍのトランスの場合、リーケージインダクタンスは６.４５μＨとなる。
従来の絶縁テープでは厚み代表寸法に対して約２０％の公差が発生してしまうため、リーケージインダクタンスのバラツキは±０.７０μＨ程度となる。
一方、この実施の形態の樹脂スペーサ７の場合、ＰＰＳ成形部品である場合、当該部品の場合、厚みが３ｍｍ以下の場合、公差は±０.１ｍｍであるため、リーケージインダクタンスのバラツキは±０.２６μＨ程度となり、この実施の形態では約３７％のバラツキ低減が可能となった。
【００２７】
上記事項は一例であり、離間距離δが増加していくと、絶縁テープの絶対値としての厚み公差が増加するが、樹脂スペーサ７では殆ど変化しないため、リーケージインダクタンスのバラツキ抑制量は更に大きくなる。
【００２８】
また、樹脂スペーサ７により、比較的密結合であるトランスにおいては樹脂スペーサ７の厚みを変更することで、リーケージインダクタンスの微調整が可能になる。
【００２９】
また、ボビン５内の領域における一次巻線６、二次巻線８の領域割合を大きくすることができ、占積率の低下が抑制されトランスの小型化が実現可能となる。
【００３０】
また、樹脂スペーサ７で巻厚み公差が抑制できるため、絶縁性樹脂でトランス本体の熱を放熱させる際に、絶縁性樹脂厚みのバラツキを抑制でき、安定した放熱性能を発揮させることが可能となる。
【００３１】
また、巻幅ｈが３３ｍｍ、離間距離δが１.３ｍｍであるトランスにおいて、離間距離δを汎用絶縁テープのノーメックステープ（熱伝導率：０.１２Ｗ／ｍ／Ｋ）で構成する場合、その熱抵抗の代表値は３.２Ｋ／Ｗであり、一次巻線６での発熱量が１２.３Ｗであるトランスでは絶縁テープが介在した一次巻線６と二次巻線８との間では４０Ｋ程度の温度差が発生する。
【００３２】
一方、離間距離δを樹脂スペーサ７としてＰＰＳ成形部品（熱伝導率：０.２９Ｗ／ｍ／Ｋ）で構成する場合、熱抵抗は１.３Ｋ／Ｗであり、一次巻線６での発熱量が１２.３Ｗであるトランスでは、樹脂スペーサ７が介在した一次巻線６と二次巻線８との間では１６Ｋとなり、従来の絶縁テープを用いた場合と比較して温度差を６０％低減可能となる。
【００３３】
また、絶縁テープの厚みが２０％変動することで、絶縁テープの熱抵抗のバラツキは±０.７Ｋ／Ｗ程度となり、±９Ｋ程度の温度バラツキが発生する。
一方、離間距離δを樹脂スペーサ７としてＰＰＳ成形部品、樹脂スペーサ７の厚み公差が±０.１ｍｍであり、熱伝導率を絶縁テープと同一としても熱抵抗バラツキが±０.２Ｋ／Ｗ、温度バラツキを±２.５Ｋ程度に抑制可能となる。
【００３４】
上記事項は一例であり、離間距離δが増加していくと、絶縁テープの公差絶対値は増加するのに対して、樹脂スペーサ７では殆ど変化しないため、熱抵抗のバラツキに起因するスペーサ間での温度差の抑制バラツキは更に大きくなり放熱性能を安定させることができる。
【００３５】
また、大きなインダクタンスを創出する際、従来では絶縁テープを複数回巻かなければならなかったが、一次巻線６と二次巻線８との間に樹脂スペーサ７を介在させるのみでよいため、組立性が改善されコストダウンが可能となる。
【００３６】
また、上述した分割構成の際課題となっている配線構造の複雑化に関しても、樹脂スペーサ７を使用することで配線構造が簡素化でき組立性が良好となり、更なるコストダウンにも貢献可能となる。
【００３７】
実施の形態２．
図２は、この発明の実施の形態２のトランスのトランス本体を示す正断面図である。
この実施の形態では、実施の形態１の樹脂スペーサ７の代わりに、非磁性金属スペーサ９及び絶縁テープ１０からなる剛体スペーサが用いられている。
この円筒形状の非磁性金属スペーサ９は、リーケージインダクタンスを生じさせるためのものであって、軸線方向の全域に延びたスリットが形成されている。
【００３８】
この実施の形態では、ボビン５の外周を導線であるエナメル線で規定ターン数巻回して一次巻線６を形成した後、この一次巻線６の外周に絶縁テープ１０を規定回数巻き、その後、例えばアルミニウムの非磁性金属スペーサ９を装着する。
この後、非磁性金属スペーサ９の外周に絶縁テープ１０を規定回数巻いた後、導線であるエナメル線を規定ターン数巻回して二次巻線８を形成する。
【００３９】
この実施の形態では、非磁性金属スペーサ９を使用することにより、従来の絶縁テープを使用してリーケージインダクタンスを生じさせる場合に比べ、大きく優れた放熱性を有することができ、一次巻線６の熱を効率よく外部に放出することで、トランスの小型化、軽量化及びコストダウンが可能となる。
【００４０】
巻幅ｈが３３ｍｍ、離間距離δが１.３ｍｍであるトランスにおいて、離間距離δをアルミニウムの非磁性金属スペーサスペーサ９（熱伝導率：１３７Ｗ／ｍ／Ｋ）で構成する場合、非磁性金属スペーサ９の熱抵抗は、２.９×１０-３Ｋ／Ｗ、絶縁テープ１０の熱抵抗は、非磁性金属スペーサ９の内側及び外側の合計で０.５Ｋ／Ｗ（厚み：０.２２ｍｍ）となる。
一次巻線６での発熱量が１２.３Ｗであるトランスでは、非磁性金属スペーサスペーサ９間での温度差は０.０４Ｋ、絶縁テープ１０間での温度差は６.２Ｋであり、合計でも４.８Ｋとなり、従来のノーメックテープを使用する場合と比較して温度差を８５％低減可能となる。
【００４１】
なお、非磁性金属スペーサ９は、軸線方向の全域に延びたスリットが形成されているので、トランスのワンターンショートが抑制され、正常なトランス動作が確保される。
【００４２】
また、剛体スペーサは、非磁性金属スペーサ９及び絶縁テープ１０で構成されており、非磁性であるので一次巻線６と二次巻線８との離間距離δ間で発生した漏れ磁束に起因する渦電流の発生が抑制される。
【００４３】
実施の形態３．
図３は、この実施の形態３のトランスの要部を示す平断面図である。
この実施の形態の非磁性金属スペーサ９及び絶縁テープ１０からなる剛体スペーサは、一次巻線６の周方向において互いに離間して分割された複数の分割スペーサ体１１で構成されている。
この分割スペーサ体１１は、矩形状の一次巻線６の各コーナ部に密接して配置されている。
他の構成は、実施の形態２のトランスと同じである。
【００４４】
実施の形態１，２では、円筒状の剛体スペーサを用いており、一次巻線６及び二次巻線８において径方向の巻線高さにバラツキが発生した際に、一次巻線６と剛体スペーサとの間、剛体スペーサと二次巻線８との間における密着性が悪化し、それらの隙間に空気層が形成される。
そして、この後、ケース内にトランス本体を載置し、絶縁性樹脂を充填する際に、そのまま空気層が残ってしまう。
これに対して、この実施の形態では、一次巻線６及び二次巻線８において巻線高さにバラツキが発生しても、分割スペーサ体１１を一次巻線６、二次巻線８のコーナ部に密着させることで、上記空気層が生じるのを低減させることができ、ケース内での絶縁性樹脂に含まれる空気層を低減でき、トランスの放熱性が向上する。
【００４５】
また、剛体スペーサに軸線方向に延びたスリットを形成するだけではワンターンショートは可能でも、共振回路として必要な漏れ磁束を非磁性金属スペーサ９内で微量ではあるが渦電流損失として熱に変換してしまうために、リーケージインダクタンスが低下してしまう。
そのため、剛体スペーサは、分割された分割スペーサ体１１で構成することで、非磁性金属スペーサ９への漏れ磁束の通過量を抑制し、リーケージインダクタンスの低下を抑制させることが可能となる。
【００４６】
なお、図４に示すように、分割スペーサ体１１を一次巻線６、二次巻線８のコーナ部間の中間部に密着させるようにしてもよい。
また、実施の形態１の樹脂スペーサ７についても、一次巻線６の周方向において互いに離間して分割された複数の分割スペーサ体で構成してもよい。
【００４７】
実施の形態４．
この実施の形態では、剛体スペーサとして、非磁性金属スペーサ９に絶縁皮膜が形成された金属スペーサが用いられている。
他の構成は、実施の形態２のトランスと同じである。
【００４８】
非磁性金属スペーサ９を用いた場合、一次巻線６及び二次巻線８との間で絶縁性が確保されない。
例えば、上記非磁性金属スペーサ９のコーナ部が直角の場合、組立時に非磁性金属スペーサ９の外周にエナメル線を巻回して二次巻線８を形成する際に、エナメル線の絶縁皮膜が破損して、非磁性金属スペーサ９と二次巻線８との間で絶縁不良が生じる。
【００４９】
これに対して、この実施の形態の金属スペーサは、非磁性金属スペーサ９に絶縁皮膜が形成されているので、エナメル線の絶縁皮膜が破損しても、非磁性金属スペーサ９と二次巻線８との間で絶縁性が確保され、トランスを正常に動作させることができる。
また、別途絶縁テープ等が不要になる為、トランス内部における熱抵抗及び材料費低減、組立性向上にも寄与できる。
【００５０】
実施の形態５．
この実施の形態では、上記金属スペーサのコーナ部が面取りされている。
他の構成は実施の形態４のトランスと同じである。
【００５１】
この実施の形態の金属スペーサは、コーナ部が面取りされているので、組立時に金属スペーサの外周にエナメル線を巻回した際でのコーナ部でのエナメル線の絶縁皮膜の破損が低減される。
なお、実施の形態１〜３の各剛体スペーサについても、コーナ部を面取りすることで、組立て時のエナメル線の絶縁皮膜の破損が低減される。
【００５２】
なお、上記各実施の形態では、内鉄型トランスについて説明したが、外鉄型トランスについてもこの発明は適用できる。
また、上記各実施の形態では、内側巻線が一次巻線６であり、外側巻線が二次巻線８であったが、内側巻線が二次巻線であり、外側巻線が一次巻線であってもよい。
また、一次巻線６及び二次巻線８は、ともに導線であるエナメル線を巻回した１層構造であったが、一次巻線及び二次巻線は多層構造であってもよい。
また、樹脂スペーサとしてＰＰＳ樹脂を用いたが、これは一例であり、例えばＰＢＴ樹脂、ＡＢＳ樹脂、ＰＡ樹脂を用いてもよい。
また、非磁性金属スペーサとしてアルミニウムを用いたが、これは一例であり、例えば銅、非磁性ステンレス鋼を用いてもよい。
【符号の説明】
【００５３】
１  第１のコア部、２  第２のコア部、３  コア、４  柱部、５  ボビン、６  一次巻線（内側巻線）、７  樹脂スペーサ、８  二次巻線（外側巻線）、９  非磁性金属スペーサ、１０  絶縁テープ、１１  分割スペーサ体。
【図１】
2014216373.tif 000005
【図２】
2014216373.tif 000006
【図３】
2014216373.tif 000007
【図４】
2014216373.tif 000008
【手続補正書】
【提出日】平成26年2月6日(2014.2.6)
【手続補正１】
【補正対象書類名】明細書
【補正対象項目名】００１５
【補正方法】変更
【補正の内容】
【００１５】
この発明に係るトランスは、コアと、このコアを囲って設けられたボビンと、このボビンに巻装された内側巻線と、この内側巻線を囲って設けられた絶縁部材と、この絶縁部材に巻装された外側巻線と、を備え、前記内側巻線、前記外側巻線の一方の電圧に応じて他方が変圧するトランスであって、
前記絶縁部材は、前記内側巻線と前記外側巻線との間の離間距離を保持する剛体スペーサであり、
前記内側巻線は一次巻線であり、前記外側巻線は二次巻線であり、
前記離間距離は、リーケージインダクタンスに対して下式で得られる値である。
【数１】
2014216373.tif 000009
ここで、Ｌleakは、リーケージインダクタンス、μは透磁率、Ｔは前記一次巻線の導線のターン数、δは前記離間距離、Δ１は前記一次巻線の径方向の高さ、Δ２は前記二次巻線の径方向の高さ、ｈは前記ボビンの軸線方向の前記一次巻線の長さ、Ｌは前記一次巻線及び前記二次巻線のそれぞれの周長を加えた値を２で割った長さ、qは対称鎖交数である。
【手続補正２】
【補正対象書類名】特許請求の範囲
【補正対象項目名】全文
【補正方法】変更
【補正の内容】
【特許請求の範囲】
【請求項１】
コアと、
このコアを囲って設けられたボビンと、
このボビンに巻装された内側巻線と、
この内側巻線を囲って設けられた絶縁部材と、
この絶縁部材に巻装された外側巻線と、を備え、
前記内側巻線、前記外側巻線の一方の電圧に応じて他方が変圧するトランスであって、
前記絶縁部材は、前記内側巻線と前記外側巻線との間の離間距離を保持する剛体スペーサであり、
前記内側巻線は一次巻線であり、前記外側巻線は二次巻線であり、
前記離間距離は、リーケージインダクタンスに対して下式で得られる値であるトランス。
【数１】
2014216373.tif 000010
ここで、Ｌleakは、リーケージインダクタンス、μは透磁率、Ｔは前記一次巻線の導線のターン数、δは前記離間距離、Δ１は前記一次巻線の径方向の高さ、Δ２は前記二次巻線の径方向の高さ、ｈは前記ボビンの軸線方向の前記一次巻線の長さ、Ｌは前記一次巻線及び前記二次巻線のそれぞれの周長を加えた値を２で割った長さ、qは対称鎖交数である。
【請求項２】
コアと、
このコアを囲って設けられたボビンと、
このボビンに巻装された内側巻線と、
この内側巻線を囲って設けられた絶縁部材と、
この絶縁部材に巻装された外側巻線と、を備え、
前記内側巻線、前記外側巻線の一方の電圧に応じて他方が変圧するトランスであって、
前記絶縁部材は、前記内側巻線と前記外側巻線との間の離間距離を保持する剛体スペーサであり、
前記外側巻線は一次巻線であり、前記内側巻線は二次巻線であり、
前記離間距離は、リーケージインダクタンスに対して下式で得られる値であるトランス。
【数２】
2014216373.tif 000011
ここで、Ｌleakは、リーケージインダクタンス、μは透磁率、Ｔは前記一次巻線の導線のターン数、δは前記離間距離、Δ１は前記一次巻線の径方向の高さ、Δ２は前記二次巻線の径方向の高さ、ｈは前記ボビンの軸線方向の前記一次巻線の長さ、Ｌは前記一次巻線及び前記二次巻線のそれぞれの周長を加えた値を２で割った長さ、qは対称鎖交数である。
【請求項３】
前記剛体スペーサは、樹脂スペーサである請求項１または２に記載のトランス。
【請求項４】
前記剛体スペーサは、前記ボビンの軸線方向に沿って全域に延びて形成されたスリットを有する非磁性金属スペーサ、及びこの非磁性金属スペーサの表面に巻回された絶縁テープから構成されている請求項１または２に記載のトランス。
【請求項５】
前記剛体スペーサは、前記ボビンの軸線方向に沿って全域に延びて形成されたスリットを有する非磁性金属スペーサ、及びこの非磁性金属スペーサの表面に形成された絶縁皮膜から構成されている請求項１または２に記載のトランス。
【請求項６】
前記剛体スペーサは、前記内側巻線の周方向において互いに離間して分割された複数個の分割スペーサ体で構成されている請求項１〜５の何れか１項に記載のトランス。
【請求項７】
前記剛体スペーサは、コーナ部が面取りされている請求項１〜６の何れか１項に記載のトランス。